(57)【要約】【目的】スロットインタイプのディスク駆動装置にして、ディスクを搬入時に傷付けず、ディスクが搬入途中に抜き取られた場合でも、これを高価なセンサ類を多用せずに検知して、ディスクを搬送する駆動系に不具合が生ずることを防止する。【構成】開口部３が形成される筐体１内にディスクの搬入方向Ｌ１と搬出方向Ｌ２とに往復直進移動するスライダ１１を設け、そのスライダ１１が開口部３に挿入されたディスクを連れてディスクの搬入方向Ｌ１に移動することにより、筐体１内に対するディスクの搬入が行われるようにしたディスク駆動装置である。ディスクの搬送方向Ｌ１，Ｌ２に移動可能なスライドプレート７、これを搬出方向Ｌ２に付勢するバネ７２、このバネ７２に抗してスライドプレート７を搬入方向Ｌ１に移動させるプレート移動手段、及びプレート移動手段によるスライドプレート７の移動を検知するスイッチＳＷ２を備える。【選択図】図３４
2007026483.tif 000002
【特許請求の範囲】
【請求項１】
スリット状の開口部が形成される筐体内に、前記開口部に正対してディスクの搬入方向と搬出方向とに往復直進移動するスライダを設け、そのスライダが前記開口部に挿入されたディスクを連れてディスクの搬入方向に移動することにより、前記筐体内に対するディスクの搬入が行われるようにしたディスク駆動装置であって、
前記スライダに近接してディスクの搬入方向と搬出方向とに移動可能に設けられるスライドプレートと、このスライドプレートをディスクの搬出方向に付勢するプレート付勢手段と、このプレート付勢手段に抗して前記スライドプレートをディスクの搬入方向に選択的に移動させるプレート移動手段と、このプレート移動手段によるスライドプレートの移動を検知する検知手段とを備え、
前記プレート移動手段は、前記スライダにより筐体内に連行されたディスクが搬入途中に前記開口部から抜き取られた場合に、スライドプレートをディスクの搬入方向に移動させ、その移動が前記検知手段で検知されることにより、前記スライダの移動方向を前記搬入方向から搬出方向に変換するようにしたことを特徴とするディスク駆動装置。
【発明の詳細な説明】
【技術分野】
【０００１】
本発明は、ＣＤプレーヤやＤＶＤレコーダに代表されるディスク駆動装置に係わり、特にスリット状の開口部（スロット）に挿入されたディスクが搬入途中に抜き取られることによる不具合を無くしたスロットインタイプのディスク駆動装置に関する。
【背景技術】
【０００２】
従来、ＣＤやＤＶＤといったディスクに楽曲情報などを記録したり、その記録情報を再生するディスク駆動装置が一般に良く知られている。係るディスク駆動装置は、ディスクを回転させるターンテーブルやディスクの半径方向に移動するピックアップなどを備えたディスク駆動部を有し、そのターンテーブルによりクランプ盤との間にディスクの中心部をチャッキングしてこれを回転させながら、その半径方向に移動するピックアップによりディスクの記録情報を読み取ったり情報の書き込みを行うことのできる構成とされる。
【０００３】
特に、係るディスク駆動装置として、ディスクを載せるトレイを用いず、スリット状の開口部（スロット）とディスク駆動部を構成するディスク回転用のターンテーブルとの間でディスクの搬入および搬出を行うディスク搬送機構を備えたものが知られる。
【０００４】
その種のディスク駆動装置はスロットインタイプと呼ばれるが、係るディスク搬送機構としては、一対の送りローラでディスクを挟みながら搬送するもの、あるいは板状部材と送りローラでディスクを挟んで搬送するものが一般的である。
【０００５】
しかし、上記のような搬送機構を備えたスロットインタイプのディスク駆動装置によれば、ディスクと送りローラとの間に入り込んだ異物によってディスクの信号記録エリアを傷付けてしまう危険性が高いばかりでなく、ディスクの有無や種別（大径／小径）などを検出するためにディスクの搬送経路に沿って多数の非接触型検出器（例えば、フォトセンサ）を配置することからコスト高になるという問題があった。
【０００６】
尚、フォトセンサなどを可動式にすることで、その配置数を減らすこともできるが、この場合にはフォトセンサと制御部とをＦＰＣ（フレキシブルプリント配線）などで接続することになるので装置の内部構造が煩雑になってしまう。
【０００７】
そこで、挿入口（スリット状の開口部）と送りローラとの間に接触型のスイッチを４つ設け、それらスイッチがディスクの位置等によって変位する部材で押圧操作されるようにし、これによる各スイッチの切り換りにより、ディスクの有無や種別（大径／小径）を検知できるようにしたものが知られる（例えば、特許文献１）。
【０００８】
【特許文献１】特開平１１−１７６０６９号公報
【発明の開示】
【発明が解決しようとする課題】
【０００９】
然しながら、特許文献１では、第１のスイッチと第２のスイッチによりディスクが挿入された否かを検知し、これによりディスクの挿入が検知されたとき送りローラを回転駆動してディスクの搬入を開始する一方、第３のスイッチによりディスクの種別（大径であるか小径であるか）を検知すると共に、第４のスイッチによりディスクの搬入が完了したか否かを検知し、これによってディスクの搬入完了が検知されたときに送りローラを停止させるようにしているに過ぎない。
【００１０】
従って、ユーザによりディスクが搬入途中に無理やり抜き取られた場合には、第４のスイッチが切り換わらず送りローラが回転し続けるなどの不具合を生ずる。
【００１１】
そこで、特許文献１では、ディスクの挿入による送りローラの起動時に、タイマによる計時を開始し、その計時が所定時間を経過したときに送りローラを停止させるようにしているが、タイマを用いた制御系では回路構成が煩雑となり、誤動作を起こしやすい。
【００１２】
又、特許文献１の装置も送りローラとこれに対向する部材との間にディスクを挟んで搬送する方式であるから、搬送中のディスク（特に信号記録エリア）に傷が付き易く、ディスクが搬入途中に抜き取られた場合には、そのディスクの片面が回転駆動する送りローラにより強力に擦過されるので、再生不良を原因となる傷の付く虞が高い。
【００１３】
本発明は以上のような事情に鑑みて成されたものであり、その目的はスロットインタイプのディスク駆動装置にして、ディスクを搬入時に傷付けず、ディスクが搬入途中に抜き取られた場合でも、これを高価なセンサ類を多用せず検知して、ディスクを搬送する駆動系に不具合が生ずることを防止することにある。
【課題を解決するための手段】
【００１４】
本発明は上記目的を達成するため、スリット状の開口部が形成される筐体内に、前記開口部に正対してディスクの搬入方向と搬出方向とに往復直進移動するスライダを設け、そのスライダが前記開口部に挿入されたディスクを連れてディスクの搬入方向に移動することにより、前記筐体内に対するディスクの搬入が行われるようにしたディスク駆動装置であって、前記スライダに近接してディスクの搬入方向と搬出方向とに移動可能に設けられるスライドプレートと、このスライドプレートをディスクの搬出方向に付勢するプレート付勢手段と、このプレート付勢手段に抗して前記スライドプレートをディスクの搬入方向に選択的に移動させるプレート移動手段と、このプレート移動手段によるスライドプレートの移動を検知する検知手段とを備え、前記プレート移動手段は、前記スライダにより筐体内に連行されたディスクが搬入途中に前記開口部から抜き取られた場合に、スライドプレートをディスクの搬入方向に移動させ、その移動が前記検知手段で検知されることにより、前記スライダの移動方向を前記搬入方向から搬出方向に変換するようにしたことを特徴とする。
【発明の効果】
【００１５】
本発明のディスク駆動装置によれば、スライダが開口部に挿入されたディスクを連れてディスクの搬入方向に移動することにより、ディスクの搬入が行われるようにしていることから、ディスクの片面全体が固定物に摺接されながら移動されるものに比べ、搬入時に信号記録エリアを傷付ける危険性が少ない。
【００１６】
特に、スライダに近接してディスクの搬入方向と搬出方向とに移動可能に設けられるスライドプレートと、このスライドプレートをディスクの搬出方向に付勢するプレート付勢手段と、このプレート付勢手段に抗してスライドプレートをディスクの搬入方向に移動させるプレート移動手段と、このプレート移動手段によるスライドプレートの移動を検知する検知手段とを備え、スライダにより筐体内に連行されたディスクが搬入途中に開口部から抜き取られた場合に、プレート移動手段によりスライドプレートがディスクの搬入方向に移動され、その移動が検知手段で検知されることにより、スライダの移動方向が搬入方向から搬出方向に変換されるようにしていることから、スライダを途中停止させたままにせず、これを開口部側の定位置に復帰させてディスクの再挿入に備えることができる。
【００１７】
又、検知手段としては、スライドプレートの移動経路上に単一のスイッチを配置すれば足りるので、複雑な制御回路を構成せずして装置のコストを抑制することができる。
【発明を実施するための最良の形態】
【００１８】
以下、図面に基づいて本発明を詳しく説明する。図１はスロットインタイプのディスク駆動装置の一例を概略的に示した斜視外観図である。図１において、１は装置の外装を成す筐体であり、その前面は図示せぬ操作スイッチ類を配した操作面２とされ、その操作面２にはディスク（本例において、直径１２ｃｍのディスクを符号Ｄで示すが、直径８ｃｍのディスクにも適用する）を出し入れするスリット状の開口部３（スロット）が形成される。尚、開口部３は塵埃の侵入を防止する図示せぬフラップ板により開閉自在とされる。又、図１において、符号ｆ１，ｆ２で示されるハッチング部分と符号ｆ３で示される中心透明部分は、ディスクの主発光部分を表しているが、係る構成については後述する。
【００１９】
次に、図２は筐体内部に設けられるドライブユニット（ディスク駆動部）を示す。このドライブユニット４は、昇降機構により昇降されるものでなく、上記筐体１に対して固定される固定式であり、これは金属などから形成されるシャーシ５に多数の電子部品などを装置して構成され、その上部にはクランプ盤６が昇降可能にして設けられる。シャーシ５は、ベースプレート５Ａと該ベースプレートの上部を覆う天板５Ｂとを備え、その天板５Ｂには上記のクランプ盤６のほか、後述するスライダ１１に近接して方形枠状のスライドプレート７が取り付けられる。尚、シャーシ５の前端部５Ｃは図１に示した開口部３に対応して開口され、これによりシャーシ５の内部にディスクＤを引き込み得るようになっている。
【００２０】
図３に示すように、シャーシ５の内部には、ディスクＤを回転させるためのターンテーブル８と、ディスクのピット列を検出するためのピックアップ９が設けられる。そして、ターンテーブル８と図２に示したクランプ盤６とによりディスクＤが中心部をチャッキングされた状態で回転されると共に、ピックアップ９が回転中のディスクＤの盤面に沿ってその内周側から外周側（符号Ｅで示される位置）まで半径方向に移動するようになっている。尚、図３では、両移動端でのピックアップ９をそれぞれ実線で示している。
【００２１】
又、ドライブユニット４は、ターンテーブル８と図１に示した開口部３との間でディスクＤの搬入および搬出を行うディスク搬送機構１０を備える。本例において、ディスク搬送機構１０は、図１に示した開口部３に対し外部から人為的に挿入されたディスクＤをドライブユニット４内に向けて搬入（ローディング）すると共に、ドライブユニット４内におけるディスクＤを開口部３からドライブユニット４及び筐体１の外部に向けて搬出（アンローディング）するものであり、これは図１に示した開口部３に正対してディスクの搬送方向（搬入方向Ｌ１および搬出方向Ｌ２）に往復直進移動するスライダ１１を有し、このスライダ１１にディスクＤが同行することにより、ドライブユニット４に対するディスクＤの搬入および搬出が行われる構成とされる。
【００２２】
尚、シャーシ５には、スライダ１１をディスクの搬送方向Ｌ１，Ｌ２に移動させるための搬送駆動部１２と、スライダ１１の移動案内をする左右一対のガイドレール１３とが設けられる。そして、搬送駆動部１２の駆動力が送りネジ１４を通じてスライダ１１に伝達され、これによりスライダ１１がガイドレール１３に沿ってディスクの搬送方向Ｌ１，Ｌ２に往復直進移動するようになっている。因みに、スライダ１１はターンテーブル８よりも搬入方向Ｌ１側で一端側が送りネジ１４、他端側が一方のガイドレール１３で移動案内され、ディスクＤはスライダ１１による搬送時に左右両側縁がガイドレール１３の部位で水平状に支持（直径８ｃｍの小径ディスクでは不支持）されるようになっている。
【００２３】
ここで、図３はスライダ１１がディスクの搬出方向Ｌ２における終端位置まで移動した状態であり、このときディスクＤは搬出方向前部側を開口部３から外部に露出させた状態で他端側（搬出方向後部側）をスライダ１１により抜き取り可能に支持され、そのディスクＤを抜き取った後には別のディスクを筐体の開口部３に挿入して、これをスライダ１１によりドライブユニット４内に搬入可能とされる。
【００２４】
又、図４はスライダ１１がディスクの搬入方向Ｌ１における終端位置まで移動した状態であり、このときディスクＤはその中心部がターンテーブル８と対応する位置にあって該ターンテーブル８により中心部を支持されるようになっている。
【００２５】
次に、図５はスライダの底面側を示した斜視図である。この図で明らかなように、スライダ１１の底面には、二つ一組にして互いの頂部（図５における上向きの面）がＶ字状の傾斜面を成す二組のリブ１５Ａ，１５Ａ及びリブ１５Ｂ，１５Ｂが形成され、係る二組のリブ１５Ａ，１５Ａとリブ１５Ｂ，１５Ｂとの間には、ゴムなどから形成されるテーパ状の圧接ローラ１６が設けられる。図５及び図６のように、圧接ローラ１６は回転軸１７に固定され、その回転軸１７は支軸１８を回転支点部とするグリップアーム１９に支持される。又、グリップアーム１９には、圧接ローラ１６に近接して後述する挟持案内部２０が形成される。そして、上記圧接ローラ１６と挟持案内部２０とを有するグリップアーム１９は、支軸１８の外周に設けられるバネ２１（捩りコイルバネ）により、圧接ローラ１６の支持側と挟持案内部２０の形成側が、リブ１５Ａ，１５Ｂに向かって付勢される。
【００２６】
ここに、リブ１５Ａ，１５Ｂと圧接ローラ１６は、ディスクの搬出方向後部側で該ディスクの外周縁部の二箇所をその厚さ方向から摘む２つの挟持手段２２，２２を構成する。つまり、２つの挟持手段２２，２２は、図６〜図８に示すように、それぞれ表面側押圧部を成すリブ１５Ａ，１５Ｂと裏面側押圧部を成す圧接ローラ１６とにより構成されるもので、これによるディスクの挟持力は上記バネ２１の弾力により一定に保たれるようになっている。尚、図８において、挟持手段を構成するリブ１５Ａ（及び１５Ｂ）と圧接ローラ１６とが成す夾角θは１０〜３０度に設定されるのであり、これによってリブ１５Ａ，１５Ｂおよび圧接ローラ１６がディスクＤの信号記録エリアに接触せずして該ディスクの外周縁部のみに接触することが可能とされている。
【００２７】
ここで、外周縁部とは、ディスク外周の角部、または、角部とその近傍部である。具体的な例として、リブ１５Ａ，１５Ｂを樹脂材で形成すれば、これが比較的硬いことからこのリブとはディスクの角の稜線が当接する線接触となり、圧接ローラ１６とは、これがゴム等の柔軟性を有する材料で形成されれば、ディスクの角の稜線及びその近傍の面（表面及び端面）を含んだ面接触となる。又、圧接ローラ１６を高硬度材料で形成した場合は、両方ともディスクの角部での線接触となる。いずれにおいても、上記したように、ディスクの信号記録面に接触するものではない。
【００２８】
一方、圧接ローラ１６がディスクに接触する位置は、上述したように２つのリブ１５Ａ，１５Ｂの間であると、それぞれが対向せずしてディスクがリブ側の２点とローラ側の１点支持となり、安定した支持が可能である。特に、圧接ローラ１６を、２つのリブ１５Ａ，１５Ｂ間の中央に位置させることが力のバランスがとれて好ましい。
【００２９】
上述した挟持手段の理解を助けるための図が図９である。この図は、一方のリブと圧接ローラとを便宜的に対向する位置にした例を示している。この図からも夾角θを設けたことにより、リブ１５Ａ（１５Ｂ）及び圧接ローラ１６がディスクＤの外周縁部（角部または角部とその近傍部）に接触していることが理解される。
【００３０】
他方、挟持案内部２０は、ディスクを搬出する際における挟持手段２２によるディスクの支持を補助するためのもので、係る挟持案内部２０にはターンテーブルで支持されたディスクを搬出するときに該ディスクの搬出方向後部側を押し上げてその外周縁部をリブ１５Ａ，１５Ｂと圧接ローラ１６との間に案内するための傾斜面２０Ａが形成される（図１０参照）。
【００３１】
又、図５、図６、及び図１１に示すように、スライダ１１の底面にはディスクの搬出方向に向かってＶ字状に広がる位置調整面２３が形成され、その位置調整面２３によりディスクの位置決めを行えるようにしてある。つまり、挟持手段２２によりディスク（図１１において、Ｄは直径１２ｃｍの大径ディスク、ｄは直径８ｃｍの小径ディスクを示す）の外周縁部を摘んで該ディスクを片持ち状態に支持するとき、ディスクＤ（ディスクｄを含む）の端面を位置調整面２３に接触せしめることにより、ディスクの搬送方向Ｌ１，Ｌ２においてターンテーブルとディスクの中心が合致するようにしてある。尚、位置調整面２３の角度λは９０度が好ましいが、その角度λは必要に応じて変更することができる。
【００３２】
又、図１１において、位置調整面２３は左右のそれぞれが大径ディスクＤと小径ディスクｄに共通の直線状の形態とされるが、これを図１２のような二段の面として大径ディスクＤと小径ディスクｄが別々の面で位置決めされるようにしてもよい。
【００３３】
しかして、上記のようなスライダ１１によれば、図１３のように左右一対の挟持手段２２によりディスクの搬出方向後部側でその外周縁部の二箇所を摘んで該ディスクを水平状に支持しながら、ディスクの搬送方向Ｌ１，Ｌ２に沿って該ディスクの搬入および搬出を行うことができる。
【００３４】
尚、搬送時のディスクＤは、後述するサイドガイドにより搬送方向Ｌ１，Ｌ２に直交する方向の両側縁も支持（上記のように小径ディスクでは不支持）されるが、ディスクの搬入時においてその中心部がターンテーブル上に案内される直前には上記サイドガイドによる支持がなくなる。このため、ディスクはターンテーブルに向かって移動（降下）できるようになる。
【００３５】
すなわち、ディスクの搬入時では、図１３のようにスライダ１１とディスクＤは一体となって搬入方向Ｌ１に移動して行くが、これによってディスクの中心孔ｈがターンテーブル８上に達すると、図１４のようにクランプ盤６が降下してディスクＤの中心部を押す。このとき、挟持手段に２２よりディスクＤの外周縁部は依然として摘まれているが、上記サイドガイドによるディスクＤの支持がなくなるために、図５に示したバネ２１の弾力に抗してディスクＤが図１４のように傾き、その中心孔ｈがターンテーブル８に嵌合して行く。その一方で、スライダ１１はさらに搬入方向Ｌ１に移動するが、この段階ではディスクＤ（小径ディスクを含む）の中心孔ｈがターンテーブル８に引っ掛かっているので、結果として挟持手段２２からディスクＤの外周縁部が抜け、その挟持手段２２に替わって当該ディスクＤがターンテーブル８で中心部を支持され、その状態でクランプ盤６がさらに降下してターンテーブル８との間でディスクの中心部をチャッキング（クランプ）するようになる。
【００３６】
尚、図１５において、２４は上記のサイドガイドであり、このサイドガイド２４はガイドレール１３の内壁面に相対向して形成され、これによりディスクの搬送方向Ｌ１，Ｌ２に直交する方向でディスクＤの両側縁が摺動自在に支持されるようになっている。
【００３７】
特に、図１５および図１６に示すように、サイドガイド２４よりもディスクの搬入方向Ｌ１に延びるガイドレール１３の先端は、ディスクの中心部がターンテーブル８上に到達したときディスクの搬入方向Ｌ１への移動を阻止するように間隔が狭められた障壁２５とされ、これによりディスクの中心孔ｈがターンテーブル８の縁に引っ掛からずともディスクＤを所定位置に停止させてターンテーブル８とクランプ盤６とによるチャッキング動作が適正に行われる構成となっている。
【００３８】
一方、ディスクの搬出時には、クランプ盤６が上昇されつつ、スライダ１１が搬出方向Ｌ２へ移動を開始し、該スライダに設けられる挟持手段２２によりディスクが片持ち状態で支持されるようになる（図１７、図１８参照）。
【００３９】
詳しくは、図１９(ａ)のようにディスクＤがターンテーブル８で支持されている状態において、挟持手段２２はディスクＤより上位にあって該ディスクから離間している（図ではディスクＤと挟持案内部２０が重なっているが、その両者も図面直角方向において離間している）。この状態でスライダ１１が搬出方向Ｌ２への移動を開始すると、これに連動してクランプ盤６の上昇が行われる一方、ディスクの端面に臨んだ挟持案内部２０がその傾斜面２０Ａにより図１９(ｂ)の如くディスクＤの搬出方向後部側を押し上げて該ディスクの外周縁部をリブ１５Ａ，１５Ｂ（表面側押圧部）と圧接ローラ１６（裏面側押圧部）との間に案内するようになる。特に、挟持案内部２０によりディスクの搬出方向後部側が押し上げられると、図１９(ｂ)のようにディスクＤの搬出方向前部側はターンテーブル８による支持位置より下がり、これによってディスクＤの搬出方向前部側の端面が後述するディスクサポータ２６に設けられるストッパ２７に接して該ディスクが搬出方向Ｌ２に移動するのを規制される一方、傾斜したディスクＤに沿って挟持案内部２０を形成するグリップアーム１９が図２０の想像線で示すようバネ２１の弾力に抗して下方揺動し、これによってリブ１５Ａ，１５Ｂと圧接ローラ１６の間隙がディスクの外周縁部を受け入れるように広げられる。尚、このときディスクＤの搬出方向後部側の端面も図１１などに示した位置調整面２３に接し、搬入方向Ｌ１に対するディスクの移動も規制される。
【００４０】
そして、スライダ１１が搬出方向Ｌ２にさらに移動すると、図１９(ｃ)のように開口部３とターンテーブル８との間に設けられるストッパ２７が起立してディスクの搬出方向前部側を押し上げると共に、これによってグリップアーム１９に作用する負荷が軽減されるために、グリップアーム１９が図２０の実線で示すようバネ２１の弾力により上方揺動する。この結果、ディスクＤは図１９(ｃ)のように搬出方向後部側で外周縁部を挟持手段２２により確りと摘まれて水平状に支持される。その後、ディスクＤは、その両側縁をも上記サイドガイド２４により支持され、この状態でスライダ１１により搬出方向後部側を押されながら開口部３に向けて搬出されて行く。尚、ディスクＤの搬送時においては、ストッパ２７を備えるディスクサポータ２６はディスクＤに干渉しないようにしてある。
【００４１】
ここで、上記のディスクサポータ２６について説明を加えると、これは図２１のように細長のプレート２８に上記ストッパ２７を設けるなどして構成される。ストッパ２７は、プレート２８に形成される円柱状の突起（ボス）で、その２つがディスクの搬送方向Ｌ１，Ｌ２に直交する方向に一定の間隔（ディスクＤの直径より小さい間隔）をあけて設けられる構成とされる。
【００４２】
２９はプレート２８の両端に形成される軸部であり、この軸部２９はベースプレート５Ａに形成される図示せぬブラケットにより回動自在に支持されている。又、プレート２８の一端にはローラ形のカム従節３０が設けられる。
【００４３】
そして、係るディスクサポータ２６は、ストッパ２７が起立状態を保つようにターンテーブル８側の縁が図示せぬ弾性部材によりベースプレート５Ａの表面に向けて付勢されており、カム従節３０が加圧されたときにはディスクサポータ２６が上記弾性部材の弾力に抗して軸部２９回りに回動してストッパ２７が開口部３側に傾斜するようになっている。
【００４４】
図２１および図２２において、３１はディスクサポータを作動させるためのレバーであり、このレバー３１はベースプレート５Ａ上でディスクの搬送方向Ｌ１，Ｌ２に摺動自在に設けられる。又、レバー３１はバネ３２により開口部３側に付勢され、付勢方向における一端に上記カム従節３０を加圧するためのカム３３が形成されると共に、その逆側の一端には直角に折れ曲がった受圧部３４が形成される。
【００４５】
そして、スライダ１１が搬入方向Ｌ１における終端位置に差し掛かったとき、レバー３１の受圧部３４がスライダ１１により押圧され、これによりカム３３がカム従節３０を加圧してディスクサポータ２６を上記の如く作動させるようになっている。
【００４６】
要するに、スライダ１１が搬入方向Ｌ１における終端位置に達してディスクをターンテーブル８に引き渡したときには、ディスクサポータ２６が倒伏してディスクの回転駆動を阻害せぬよう該ディスクから完全に離間する。
【００４７】
一方、ターンテーブル８上のディスクを搬出すべくスライダ１１が搬出方向Ｌ２に移動開始した時点では、カム従節３０がカム３３により依然として押圧されることにより、図２３のようにディスクサポータ２６が倒伏状態を保ち、上記挟持手段２２でディスクの搬出方向後部側の外周縁部が適正に摘まれるまでストッパ２７が搬出方向Ｌ２に対するディスクＤの移動を規制するが、スライダ１１は搬出方向Ｌ２に移動し続けるので、ディスクサポータ２６は、カム３３の輪郭に応じて図２４の想像線に示す状態から実線で示す状態に徐々に立ち上がり、その過程でストッパ２７がディスクＤを押し上げるような働きをする。
【００４８】
ここで、ストッパ２７により押し上げられたディスクは、その搬出方向前部側をディスクサポータの上面部２６Ａにより一時的に支持されるが、その上面部２６Ａは図２５のようにＶ字形とされるのであり、このためディスクの信号記録エリアはディスクサポータの上面部２６Ａに接触せず、その上面部２６Ａにはディスクの搬出方向前部側でディスクの外周縁部のみ（図２６に示すハッチング部分）が接触する。
【００４９】
そして、スライダ１１が搬出方向Ｌ２にさらに移動すると、上記挟持手段２２による搬出方向後部側でのディスクの挟持力により、搬出方向前部側ではディスクがディスクサポータの上面部２６Ａから離間され、これに替わってディスクの両側縁が上記サイドガイド２４により支持されるようになる。
【００５０】
尚、図２２のように、レバー３１にはベースプレート５Ａの下方に垂下する突片３５が形成され、その突片３５により、スライダ１１による受圧部３４の押圧と同時にスイッチＳＷ１が押圧され、これにより（正確には該スイッチＳＷ１と後述するスイッチＳＷ２の双方が押圧操作されることにより）、スライダ１１を搬送方向Ｌ１，Ｌ２に移動させるための搬送駆動部が停止されるようになっている。
【００５１】
又、図２１において、３６は小径のディスクｄに対応するディスクサポータで、これも円柱状の突起から成るストッパ３７、そのストッパを備えるプレート３８、その回転支点部を成す軸部３９、およびカム従節４０などから構成され、上記レバー３１にはカム従節４０に対応してカム４１が形成される。尚、その作用ついてはディスクサポータ２６と同様であるので説明を省略する。
【００５２】
次に、ディスクが発光する構成について説明すると、図５に示すように、スライダ１１には左右一対の光源５０が設けられる。本例において、光源５０は発光ダイオード（ＬＥＤ）、それも赤、緑、青の光の合成により様々な光色を発生することのできるマルチカラーＬＥＤ（チップ型）とされるが、これを赤と緑の二色ＬＤＥや単色ＬＥＤなどとしてもよい。
【００５３】
特に、係る光源５０は、図２７〜図２９のように外周縁部が挟持手段２２により挟持されたディスクＤ（小径のディスクを含む）の搬出方向後部側の端面ｆ０に臨むようになっており、このためディスクＤの搬入および搬出に際して光源５０もディスクＤの搬出方向後部側の端面ｆ０に臨んでディスクＤと共に同方向に直進移動する。
【００５４】
しかして、その光源５０から発せられた光は、図２９のようにディスクＤの搬出方向後部側（搬入方向側）の端面ｆ０からディスクＤの内部に入射し（図２８の矢印方向）、ディスクＤの内周縁と外周縁との間で反射を繰り返すなどしてディスクの搬出方向前部側の端面ｆ１まで導光される。このため、遮光性の保護膜により覆われないディスクの透明部、特にこの外周端面ｆ１と、中心の内周面ｆ２、および中心孔の周辺領域ｆ３（図１も参照）は、移動中にも拘らず高輝度で発光し、搬出完了時においては開口部３から露出されるディスクＤの発光により視認性が向上して暗所においてもその位置が明確となり、優れたイルミネーション効果も発現される。
【００５５】
尚、マルチカラーＬＥＤから成る光源５０にして、光色変換制御を行うことによりディスクの発光色を周期的に変化させてイルミネーション効果をより一層向上させることができる。又、光源５０はディスクの中心孔ｈの直径より稍大きな間隔で２つを隣り合わせに配することが好ましく、これにより光源５０から発せられた光を図２９に示した矢印のようにディスクの搬出方向後部側から搬出方向前部側へ良好に導光することが可能とされるが、係る光源５０は一つでも２つ以上でもよく、更にはＬＥＤのような点光源に代えて蛍光管などを用いることもできる。
【００５６】
次に、図３０及び図３１は、スライダ１１をディスクの搬入方向と搬出方向とに移動させるための搬送駆動部を示す。これらの図で明らかなように、搬送駆動部１２は電気モータから成る駆動源５１、そのロータ軸に固着されるプーリ５２、そのプーリ５２の動力がベルト５３を介して伝達される従動プーリ５４、その従動プーリ５４と同軸上に固着されるウォーム５５、及びこのウォーム５５と噛み合うウォームホイール５６を含み、そのウォームホイール５６が送りネジ１４の一端に固着される構成となっている。尚、駆動源５１のロータ軸にウォーム５５を直結する構成でもよい。
【００５７】
ここで、スライダ１１の一端部には、送りネジ１４と係合するキャリヤ６０が設けられる。図３２および図３３から明らかなように、係るキャリヤ６０は送りネジ１４を貫通せしめるブラケット部６１Ａ，６１Ｂを有するキャリヤ本体６１と、そのキャリヤ本体６１に対して送りネジ１４の軸方向に移動可能とされるリニアガイド６２とを含み、そのリニアガイド６２にラック状のランナプレート６３が設けられる構成となっている。ランナプレート６３には、送りネジの外周に形成される螺旋溝１４Ａに嵌まり込む突起６４が形成され、その突起６４が板バネ６５の作用により螺旋溝１４Ａから容易に離脱せぬようにしてある。又、送りネジ１４の外周には、キャリヤ本体の一方のブラケット部６１Ａとリニアガイド６２との間で圧縮コイルバネ６６が設けられる。
【００５８】
これにより、図１に示した筐体の開口部３からその内部にディスクを挿入すると、その外周縁部の二箇所が図７などに示したスライダの挟持手段２２により挟持されるほか、ユーザによるディスクの押込力により、リニアガイド６２が静止状態のままスライダ１１が圧縮コイルバネ６６の弾力に抗して筐体の奥側に移動し、これにより図示せぬスイッチが操作（ＯＮ操作）されて送りネジ１４の回転駆動が開始され、しかしてその回転駆動によりスライダ１１がディスクの外周縁部を摘んだまま該ディスクを連れてその搬入方向に移動する。
【００５９】
一方、図２に示したシャーシの天板５Ｂには、図３４に示すようなトリガーレバー７１がディスクの搬送方向Ｌ１，Ｌ２に摺動可能に取り付けられる。又、天板５Ｂに取り付けられる方形枠状のスライドプレート７（図２参照）も、上記の如くディスクの搬送方向Ｌ１，Ｌ２に移動可能とされるが、これは図３４に示すバネ７２（プレート付勢手段）によりディスクの搬出方向Ｌ２に付勢される。又、図３４に示すように、スライドプレート７の裏面には、ディスクの搬送方向Ｌ１，Ｌ２に平行して、二つ一組の突条７３Ａ，７３Ｂが左右に一組ずつ設けられる一方、スライダ１１の上面には左右一対の揺動リンク７４が取り付けられる。
【００６０】
７５は揺動リンク７４の回動中心であり、その回動中心７５から隔たる揺動リンク７４の一端にはスライダ１１の内部に垂下する第１ピン７６（図５参照）が突設され、逆側の一端（ディスクの搬送方向に直交する左右方向の外側）にはスライドプレート７などを押し込むための第２ピン７７が突設される。
【００６１】
そして、図１に示した筐体の開口部３にディスクを挿入したとき、その外周縁部が上記のようにスライダの挟持手段２２により挟持されるほか、ディスクの端面で第１ピン７６が押圧されることにより、揺動リンク７４が図示せぬバネ力に抗して図３４の矢印方向（回動中心７５回り）に回動する。
【００６２】
これにより、図３５のように第２ピン７７が突条７３Ａ，７３Ｂの間に挿入（大径のディスク挿入時）された状態でスライダ１１がディスクの搬入方向Ｌ１に移動し、やがて第２ピン７７が図３４に示したトリガーレバー７１と突条７３Ａとの間に配される図示せぬカムレバーに衝突し、これによってトリガーレバー７１が図示せぬバネの弾力に抗してスライダ１１と共にディスクの搬入方向Ｌ１に移動し、ディスクの中心部がターンテーブルに対応する位置に到達したときには、トリガーレバー７１の部位７１Ａでクランプアーム６Ａの部位が押圧され、これによりクランプアーム６Ａの一端に取り付けられるクランプ盤６がターンテーブルに向かって押し下げられ（図３４における図面直角方向奥側）、そのクランプ盤６とターンテーブルとによりディスクの中心部がチャッキングされることになる。
【００６３】
尚、スライダ１１がディスクの搬入方向Ｌ１に移動している最中に、搬入途中のディスクがユーザにより開口部から抜き取られた場合、係るディスクによる第１ピン７６の押圧が無くなるため、揺動リンク７４が図示せぬバネの作用により図３４の矢印とは逆向きの回動を始め、これによって突条７３Ａの内壁に所定の間隔で形成した切欠部７９に第２ピン７７が入り込み（図３５参照）、その突条７３Ａを有するスライドプレート７をディスクの搬入方向Ｌ１に押し込むこととなる。
【００６４】
しかして、スライドプレート７がバネ７２（プレート付勢手段）に抗してディスクの搬入方向Ｌ１に移動され、そのスライドプレート７により天板５Ｂに設けたスイッチＳＷ２の押圧操作が行われてディスク搬送機構の搬送駆動部１２が逆転され、これによりスライダ１１の移動方向が搬入方向Ｌ１から搬出方向Ｌ２に変換される構成となっている。これによれば、ディスクを置き去りにして、スライダ１１のみがディスクの搬入方向Ｌ１に移動する動作が防止される。
【００６５】
つまり、本例において、ピン７６，７７を有してスライダ１１に回動可能に取り付けられる揺動リンク７４と、ピン７７に対応する複数の切欠部７９を有してスライドプレート７に固定される突条７３Ａとは、大径のディスクが搬入途中に抜き取られることに対応して、スライドプレート７をバネ７２に抗してディスクの搬入方向Ｌ１に移動させるプレート移動手段を構成すると共に、これによるスライドプレート７の移動（搬入方向Ｌ１）を検知するスイッチＳＷ２は、スライドプレート７の移動領域内に固定されて検知手段を構成する。
【００６６】
尚、検知手段を構成するスイッチＳＷ２には、リミットスイッチやマイクロスイッチといった接触型の検出器が用いられるが、これに基づく上記のような逆転動作制御は簡易な制御回路で容易に実現することができる。
【００６７】
又、ディスクの搬出方向Ｌ２に方向変換されたスライダ１１は、開口部に近接する位置に停止されてディスクの再挿入に備えるが、その停止動作はディスクの挿入時に「ＯＮ」操作される上記の図示せぬスイッチがスライダ１１で「ＯＦＦ」操作されることにより行われる。
【００６８】
ここで、上記の動作は直径１２ｃｍの大径ディスクの場合であり、直径８ｃｍの小径ディスクの場合には、大径ディスクとの直径の相違によって第２ピン７７が図３６のように突条７３Ｂの内側に案内されるが、突条７３Ｂとトリガーレバー７１との間にも図示せぬカムレバーが配され、そのカムレバーが第２ピン７７で大径ディスクの搬入時とは異なるタイミングで操作されてトリガーレバー７１が所定のタイミングで動作することにより、小径ディスクのチャッキングも適正に行われるようになっている。
【００６９】
又、小径ディスクが搬入途中に抜き取られた場合にも、突条７３Ｂの内壁に形成される切欠部７９に第２ピン７７が入り込み、これよってディスクの搬入方向Ｌ１に対するスライドプレート７の移動が行われる。
【００７０】
つまり、本例において、ピン７６，７７を有してスライダ１１に回動可能に取り付けられる揺動リンク７４と、ピン７７に対応する複数の切欠部７９を有してスライドプレート７に固定される突条７３Ｂとは、小径のディスクが搬入途中に抜き取られることに対応して、スライドプレート７をバネ７２に抗してディスクの搬入方向Ｌ１に移動させるプレート移動手段を構成するが、これによりスライドプレート７がディスクの搬入方向Ｌ１に移動されたときの動作は大径ディスクの場合と同様であるので説明を省略する。
【００７１】
尚、本例において、ディスクが搬入途中に抜き取られずとも、スライダ１１が搬入方向Ｌ１の終端位置に達するときに第２ピン７７で突条７３Ａ，７３Ｂの先端が加圧され、これによりスライドプレート７を介してスイッチＳＷ２の押圧操作が行われるが、このときには図２２に示したスイッチＳＷ１が、スイッチＳＷ２より先にスライダ１１で押圧操作されるので、搬送駆動部は逆転せずして停止する。
【００７２】
以上、本発明について説明したが、本発明はＣＤプレーヤ、ＤＶＤレコーダ、又はカーナビゲーション用のＤＶＤプレーヤなど様々なディスク駆動装置に適用できる。
【００７３】
又、上記例では、装置のシャーシを構成する天板にスライドプレート７を取り付け、そのスライドプレート７に、２つ一組のリブ７３Ａ，７３Ｂをディスクの搬送方向Ｌ１，Ｌ２に平行して左右に一組ずつ固定し、それらリブ７３Ａ，７３Ｂの内壁に所定の間隔で切欠部７９を形成する一方、スライダ１１にディスクの種別（大小）を判別する左右一対の揺動リンク７４を回動自在に取り付け、その揺動リンク７４にディスクの端面で押圧される第１ピン７６と、切欠部７９に対応してスライドプレート７をディスクの搬入方向Ｌ１に押圧する第２ピン７７を設けることにより、プレート移動手段を構成したが、突条７３Ａ，７３Ｂに代えて、スライドプレート７に長孔を形成してもよい。尚、この場合、上記長孔には切欠部７９と同様の凹部がディスクの搬入方向Ｌ１に沿って所定の間隔で形成される。又、切欠部７９に代えて、スライドプレート７にピン状の突起を設ける一方、揺動リンク７４の一端に鉤状の係止部を設け、搬入途中のディスクが抜き取られた場合に、上記突起と鉤状の係止部が係合してスライドプレート７がディスクの搬入方向Ｌ１に移動する構成としてもよい。
【図面の簡単な説明】
【００７４】
【図１】本発明に係るディスク駆動装置を示す斜視外観図
【図２】同装置の筐体内部に設けられるドライブユニットを示す斜視図
【図３】ドライブユニットの内部を示す斜視図
【図４】ディスクが所定位置まで搬入された状態を示す斜視図
【図５】ディスク搬送機構を構成するスライダの底面側を示す斜視図
【図６】スライダの部分拡大図
【図７】ディスクの外周縁部が挟持手段で摘まれた状態を示す平面概略図
【図８】ディスクの外周縁部が挟持手段で摘まれた状態を示す正面概略図
【図９】ディスクの外周縁部が挟持手段で摘まれた状態を便宜的に示す説明図
【図１０】ディスクの外周縁部を摘む挟持手段の構成部品を示す斜視図
【図１１】スライダの底面概略図
【図１２】スライダの他の実施態様を示す底面概略図
【図１３】ディスクの外周縁部が挟持手段で摘まれた状態を示す斜視図
【図１４】ディスクの搬入状態を示す説明図
【図１５】ディスクの搬入状態を示す平面概略図
【図１６】ディスクの搬入状態を示す側面概略図
【図１７】ディスクの外周縁部が挟持手段で摘まれた状態を示す部分拡大図
【図１８】ディスクの外周縁部が挟持手段で摘まれる直前の状態を示す斜視図
【図１９】ディスク搬出時の動作説明図
【図２０】挟持手段の動作説明図
【図２１】搬出時のディスクの挟持を補助するストッパの装置例を示す平面図
【図２２】シャーシの側面概略図
【図２３】図２１に示したストッパにディスクの端面が接した状態を示す説明図
【図２４】同ストッパの動作説明図
【図２５】同ストッパを有するディスクサポータの部位を示す正面概略図
【図２６】ディスクサポータの部位でディスクが支持された状態を示す説明図
【図２７】ディスクの端面に光源が臨んだ状態を示す斜視図
【図２８】ディスクの端面に光源が臨んだ状態を部分的に拡大して示した説明図
【図２９】ディスク内における光の進行状態を示す説明図
【図３０】スライダの駆動系を示す斜視図
【図３１】スライダの駆動系を示す斜視図
【図３２】スライダの駆動系を部分的に拡大して示した側面図
【図３３】図３２におけるＸ−Ｘ断面図
【図３４】ドライブユニットに設けたスライドプレートを含む機構の一部を示す平面図
【図３５】スライドプレートの動作説明図（大径ディスク抜き取り時）
【図３６】スライドプレートの動作説明図（小径ディスク抜き取り時）
【符号の説明】
【００７５】
１  筐体
３  開口部
４  ドライブユニット（ディスク駆動部）
６  クランプ盤
７  スライドプレート
８  ターンテーブル
１０  ディスク搬送機構
１１  スライダ
７２  バネ（プレート付勢手段）
７３Ａ，７３Ｂ  突条
７４  揺動リンク
７６  第１ピン
７７  第２ピン
７９  切欠部
ＳＷ２  スイッチ（検知手段）
【図１】
2007026483.tif 000003
【図２】
2007026483.tif 000004
【図３】
2007026483.tif 000005
【図４】
2007026483.tif 000006
【図５】
2007026483.tif 000007
【図６】
2007026483.tif 000008
【図７】
2007026483.tif 000009
【図８】
2007026483.tif 000010
【図９】
2007026483.tif 000011
【図１０】
2007026483.tif 000012
【図１１】
2007026483.tif 000013
【図１２】
2007026483.tif 000014
【図１３】
2007026483.tif 000015
【図１４】
2007026483.tif 000016
【図１５】
2007026483.tif 000017
【図１６】
2007026483.tif 000018
【図１７】
2007026483.tif 000019
【図１８】
2007026483.tif 000020
【図１９】
2007026483.tif 000021
【図２０】
2007026483.tif 000022
【図２１】
2007026483.tif 000023
【図２２】
2007026483.tif 000024
【図２３】
2007026483.tif 000025
【図２４】
2007026483.tif 000026
【図２５】
2007026483.tif 000027
【図２６】
2007026483.tif 000028
【図２７】
2007026483.tif 000029
【図２８】
2007026483.tif 000030
【図２９】
2007026483.tif 000031
【図３０】
2007026483.tif 000032
【図３１】
2007026483.tif 000033
【図３２】
2007026483.tif 000034
【図３３】
2007026483.tif 000035
【図３４】
2007026483.tif 000036
【図３５】
2007026483.tif 000037
【図３６】
2007026483.tif 000038